(57)【特許請求の範囲】
【請求項１】
水分散性繊維に水溶性バインダーを含有させてシート状に形成した水解紙によって、手を挿入することが可能な袋体が形成され、
前記袋体は、第１の面と第２の面が対面し、開口部を除く縁部で前記第１の面と前記第２の面が閉じられており、
前記第１の面と前記第２の面の少なくとも片面は、水分散性繊維層が前記水解紙で挟まれた多層シートで形成されており、前記水分散性繊維層は、粉砕パルプで形成されまたは粉砕パルプと他の繊維とで構成され、厚みが０．５ｍｍ以上であることを特徴とする排泄物用処理袋。
【請求項２】
前記開口部から前記袋体の外部に延びる水解紙の延長部が設けられている請求項１記載の排泄物処理用袋。
【請求項３】
前記袋体の、前記開口部に対向する位置で閉じられた底部に、窪み部が形成されている請求項１または２記載の排泄物処理用袋。
【発明の詳細な説明】
【０００１】
【発明の属する技術分野】
本発明は、犬や猫などのペットの排泄物（糞）を処理するのに使用する排泄物処理用袋に関する。
【０００２】
【従来の技術及び解決しようとする課題】
犬や猫等のペットの排泄物（糞）、特に散歩中の犬の排泄物は、ビニール袋に入れられて持ち帰られ、ゴミとして捨てられていることが多い。
ペットの排泄物を処理するため、特開平８−５８９１１号公報には、袋に厚手のシートを貼り合わせた清掃袋が開示されている。この厚手のシートが貼ってある部分で排泄物をつかめば、処理する人の不快感を軽減することができる。しかし、毎日この清掃袋を用いて排泄物の処理を行えば、ごみの量が大量になってしまう。
【０００３】
また、実開平４−１９１５９号公報には、水分散性の紙及び水分散性のフィルムからなるペット用の排泄物処理袋が開示されている。この排泄物処理袋は水分散性の物質から構成されているため、排泄物を入れた袋をそのまま水洗トイレに流すことができる。したがって、ゴミとして出ることがない。この排泄物処理袋を用いて排泄物を処理するとき、袋を通して排泄物を手でつかむ。しかしこのとき、排泄物の触感や熱が手に伝わり、処理する人が不快感を感じる。不快感を感じさせない程度まで袋を厚くしてしまうと、水洗トイレに流れにくくなってしまう。
【０００４】
本発明は上記従来の課題を解決するものであり、処理する人の不快感を軽減し、且つ水洗トイレに流すことができる水解性の排泄物処理用袋を提供することを目的としている。本発明の更なる目的は、水洗トイレに流して処理する際に水解しやすい排泄物処理用袋を提供することにある。
【０００５】
【課題を解決するための手段】
上記従来の課題及び目的は、
水分散性繊維に水溶性バインダーを含有させてシート状に形成した水解紙によって、手を挿入することが可能な袋体が形成され、
前記袋体は、第１の面と第２の面が対面し、開口部を除く縁部で前記第１の面と前記第２の面が閉じられており、
前記第１の面と前記第２の面の少なくとも片面は、水分散性繊維層が前記水解紙で挟まれた多層シートで形成されており、前記水分散性繊維層は、粉砕パルプで形成されまたは粉砕パルプと他の繊維とで構成され、厚みが０．５ｍｍ以上であることを特徴とする排泄物処理用袋よって達成される。
本発明の排泄物処理用袋は、袋体の少なくとも片面に水分散性繊維層が設けられている。したがって、開口部から手を挿入して、水分散性繊維層がある部分において排泄物をつかめば、排泄物をつかんだときの不快な感触を感じさせることがない。排泄物をつかんだ後は袋体の裏表をひっくり返し、袋体の内側に排泄物を収納する。本発明の排泄物処理用袋は水解紙と水分散性繊維とで構成されているため、水洗トイレで容易に分散される。
【０００６】
本発明の排泄物処理用袋は、袋体の開口部から水解紙が延長していることが好ましい。この場合、排泄物を袋体に取り込んだ後、延長している水解紙を蓋として機能させ、袋体の開口部を覆うことができる。
【０００７】
【発明の実施の形態】
以下本発明を図面を参照しながら説明する。図１（Ａ）は本発明の排泄物処理用袋の斜視図、（Ｂ）は（Ａ）のＢ−Ｂ線における断面図である。図１（Ａ）（Ｂ）に示すように、本発明の排泄物処理用袋１は、水解紙２、４並びに水解紙２と水解紙４とで挟まれた水分散性繊維層３で構成された多層シートで形成されている。
図１（Ｂ）に示すように、長方形の水解紙２の上に水分散性繊維層３と、前記水解紙２よりも小さい長方形又は正方形の水解紙４とが順に重ねられた状態で、水解紙４の４辺の端部４ａ、４ｂ、４ｃ、４ｄが水解紙２に水溶性接着剤５で接着されている。以上のように構成された多層シートは袋体６の底部となる折り曲げ部６ａにて折り曲げられた状態で、水解紙２どうしが、両側部７ａ、７ｂにおいて水溶性接着剤で接着されている。その結果、折り曲げ部６ａと両側部７ａ、７ｂの三辺が閉じられて、一辺が開口部８となった袋体６が形成されている。図１（Ｂ）に示すように、袋体６は使用していないときに第１の面６ｂと第２の面６ｃを有する平坦な形状である。前記水分散性繊維層３は、粉砕パルプなどが水解紙で包まれた状態で水解紙２と水解紙４との間に挟まれている。図１の例では、水分散性繊維層３が袋体６の第１の面６ｂに位置している。
【０００８】
形成された袋体６は、開口部８から矢印９の方向へ向かって、水解紙４と水解紙２の第２の面６ｃとの間に手を挿入することができる大きさである。袋体６の大きさは、開口部８から手を入れて、水分散性繊維層３を介して排泄物をつかむことができるように、例えば１０×１０ｃｍ以上３０×３０ｃｍ以下程度であることが好ましい。
【０００９】
また、袋体６の開口部８から外方へ水解紙２が延びて延長部１０が形成されている。後に説明するように、延長部１０は排泄物が出ないように開口部を塞ぐように機能する。図１に示すものでは、袋体６の第１の面６ｂ、折り曲げ部６ａ、第２の面６ｃ、さらに延長部１０が一枚の水解紙２によって連続しているが、前記各部分で水解紙が別体であり、水溶性接着剤で接合されていてもよい。
【００１０】
図２（Ａ）（Ｂ）は本発明の排泄物処理用袋１を用いて排泄物をつかんだ状態を示す図である。図２（Ａ）に示すように、本発明の排泄物処理用袋１の開口部８から第１の面６ｂと第２の面６ｃとの間へ、手１１を入れ、第１の面６ｂで水解紙２が排泄物１２に接するようにして排泄物１２をつかむ。そして、図２（Ｂ）に示すように、排泄物１２を水解紙２、水分散性繊維層３、水解紙４を介して手１１でつかんだ状態で、袋体６の裏表をひっくり返す。その結果、裏表が返った袋体６内に排泄物１２が包み込まれる。すなわち、図２（Ｂ）に示すように、水解紙２が内側で水解紙４が外側となった袋体６内に排泄物１２が包まれる。
【００１１】
表裏が返された袋体６の開口部８ａからは延長部１０が延びているので、この延長部１０は、図２（Ｂ）に示す袋体６の開口部８ａを覆う蓋となる。図２（Ａ）に示すように排泄物１２をつかんで、袋体６の裏表をひっくり返した後、図２（Ｂ）に示すように延長部１０を第２の面６ｃの外側へ添えて開口部８ａ側を塞ぐ。
【００１２】
本発明の排泄物処理用袋１では、図２（Ａ）に示すように水分散性繊維層３を介して排泄物１２をつかむことになるため、処理する人の手１１に排泄物１２の感触や温かさが直接伝わることがなく、不快感が少なくなる。また、表裏逆の袋体６に入れられた排泄物１２は、延長部１０による蓋で袋体６内に閉じ込められるため、容易に袋体の外へ転がり出ることがない。さらには、袋体６に入れられた排泄物１２のにおいが外に漏れるのを防止することができる。
【００１３】
排泄物１２が入れられた排泄物処理用袋１はそのままの状態で水洗トイレに流すことができる。水洗トイレに流したとき、それぞれの水解紙どうしを接着していた水溶性接着剤が水に溶解するとともに、水解紙並びに水分散性繊維層の繊維がそれぞれ分散して、排泄物処理用袋１が水解する。
【００１４】
水解紙２、４は水洗トイレに流したときに、その水流によって、あるいは浄化槽内で容易に分散されるものである。例えば、原料としてパルプを用い、パルプ繊維同士の水素結合でシート状に形成した水解紙、また、原料としてパルプやレーヨンなどの水分散性繊維を用い、繊維を結合させる水溶性のバインダーを含有させてシート状に形成した水解紙などをあげることができる。水溶性のバインダーとしてはポリビニルアルコール、変性ポリビニルアルコール、カルボキシメチルセルロース、メチルセルロース等のアルキルセルロース、陽イオン性アルデヒド変性ポリアクリルアミド系共重合体などをあげることができる。また、ポリビニルアルコール系の水溶性バインダーや、セルロース系の水溶性バインダーを用いる場合、水解紙の強度を上げるため、必要に応じて電解質や金属塩を含有させることもできる。また、アルキルセルロース系の水溶性バインダーを用いる場合、水解紙の強度を上げるため、アクリル酸系樹脂の共重合体やアミノ酸誘導体を含有させることができる。水解紙２、４はそれぞれ違う種類の水解紙で構成されてもよい。
【００１５】
水解紙２、４は排泄物を入れてもその重量に堪えられるだけの強度をもつことが好ましい。また、排泄物が袋体から転がりでないよう表面の摩擦係数を大きくするために、水解紙２、４にクレープ加工を施すことが好ましい。
【００１６】
水分散性繊維層３は、例えば木材パルプ、マニラ麻、リンダーパルプ、竹パルプ、ケナフ等のパルプ、レーヨン等の再生繊維やポリプロピレン等の合成繊維など、水分散性繊維よって構成することができる。この中でも粉砕パルプは、ある程度の厚みを出した場合においても水解性が落ちることが少ないので好ましい。また、例えばパルプとレーヨンなど、種類の違う繊維を組み合せて使用してもよい。
【００１７】
排泄物の処理において処理する人に不快感を感じさせないために、水分散性繊維層３の厚みは０．５ｍｍ以上であることが好ましい。また、さらに好ましくは１．０ｍｍ以上である。但し、厚みを１．０ｍｍ以上とする場合、水分散性繊維層３を挟んでいる水解紙２、４は水解性の高いものであることが好ましい。水分散性繊維層３の剛軟度（ＪＩＳ  Ｌ／１０９６のカンチレバー法により測定した剛軟度）は２００ｍｍ以下であることが好ましい。水分散性繊維層３が硬すぎると排泄物をつかみにくく、また水洗トイレに流したときに容易に水解しにくくなる。
【００１８】
水溶性接着剤５としては、カルボキシメチルセルロース、ポリビニルアルコール、アルギン酸ナトリウム、でんぷんなどをあげることができる。ただし、水不溶性の接着剤、ホットメルト型接着剤などで水解紙を接着してもよい。また、水解紙に熱融着性繊維が含まれている場合、熱ヒートシール又はインパルスシールにて接着してもよい。
【００１９】
図３は本発明の排泄物処理用袋の他の実施形態を示す断面図である。図３に示す排泄物処理用袋１Ａでは、水解紙２の上に水分散性繊維層３が重ねられ、さらにその上に水解紙４が重ねられて水解紙４の４辺が水溶性接着剤で接着されている。水解紙２、４と水分散性繊維層３とが重ねられた多層シートは折り曲げ部６ａで折り曲げられており、両側部で接着されて袋体６が形成されている。図３に示す排泄物処理用袋１Ａでは、水分散性繊維層３が袋体６の第１の面６ｂと第２の面６ｃの両面に位置している。よって、袋体６の両面６ｂ、６ｃのどちらの面を使用しても排泄物をつかむことができ、また不快感がない。
【００２０】
図４は本発明の排泄物処理用袋の他の実施形態を示す斜視図である。図４に示す排泄物処理用袋１Ｂでは、袋体６Ａの底部６ｄの中央に窪み部１３が形成されている。なお、水分散性繊維層３Ａ、３Ｂは袋体６の第１の面６ｂと第２の面６ｃの両面に位置している。この形態の排泄物処理用袋１Ｂは開口部８から手を挿入して、例えば窪み部１３を挟むようにして、記号１４で示す部分に親指以外の指を入れて、記号１５で示す部分に親指をいれて、窪み部１３で排泄物をつかむことができる。
【００２１】
図４に示す排泄物処理用袋１Ｂを製造する方法としては、例えば下から水解紙２Ａ、水分散性繊維層３Ａ、水解紙４Ａ、水解紙４Ｂ、水分散性繊維層３Ｂ、水解紙２Ｂとなるように順に重ねた状態で、図４に示す平面形状に切断する。切断して形成された端部（縁部）並びに両側部において各水解紙を接着して袋体を形成する。図４に示す排泄物処理用袋１Ｂは、水解紙４Ａと４Ｂとの間に開口部８から手を挿入して使用する。図４に示す排泄物処理袋１Ｂは窪み部１３が形成されているため、排泄物をつかみやすい。
なお、本発明の各実施の形態の排泄物処理用袋１、１Ａ、１Ｂには、延長部１０が形成されなくてもよい。その場合、排泄物を入れた後は排泄物処理用袋を開口部８の部分で折って持ち運べばよい。
本発明の排泄物処理用袋１、１Ａ、１Ｂには、人に清潔な印象を与えるために青色などに着色することができる。また、排泄物処理用袋１、１Ａ、１Ｂの表面に模様を印刷してもよい。
【００２２】
【発明の効果】
以上詳述したように、本発明の排泄物処理用袋は、袋体の少なくとも片面に水分散性繊維層が設けられている。したがって、開口部から手を挿入して、水分散性繊維層が設置された面を用いて排泄物をつかめば、排泄物をつかんだときの不快な感触を感じることがない。排泄物をつかむときの感触を和らげるために設置された水分散性繊維層は、容易に水中に分散されるものであり、また、本発明の排泄物処理用袋を構成する水解紙も容易に水解するものから構成されている。したがって、本発明の排泄物処理用袋は水洗トイレに流したときに容易に水解される。
【００２３】
さらに、本発明の排泄物処理用袋に水解紙の延長部を設けると、袋体に排泄物を収納した後、排泄物が外に転がり出ること並びに排泄物のにおいが外に出ることを防止することができる。
【図面の簡単な説明】
【図１】（Ａ）は本発明の排泄物処理用袋の斜視図、（Ｂ）は（Ａ）のＢ−Ｂ線の断面図
【図２】（Ａ）（Ｂ）は本発明の排泄物処理用袋を用いた排泄物の処理を順に説明する断面図
【図３】本発明の排泄物処理用袋の他の実施形態を示す断面図
【図４】本発明の排泄物処理用袋の他の実施形態を示す斜視図
【符号の説明】
１、１Ａ、１Ｂ  排泄物処理用袋
２、２Ａ、２Ｂ  水解紙
３、３Ａ、３Ｂ  水分散性繊維層
４、４Ａ、４Ｂ  水解紙
４ａ、４ｂ、４ｃ、４ｄ  端部
６、６Ａ  袋体
６ａ  折り曲げ部
６ｂ  袋体の第１の面
６ｃ  袋体の第２の面
６ｄ  底部
８、８ａ  開口部
１０  延長部
１１  手
１２  排泄物
１３  窪み部
【図１】
0003883704.tif 000002
【図２】
0003883704.tif 000003
【図３】
0003883704.tif 000004
【図４】
0003883704.tif 000005